(57)【特許請求の範囲】
【請求項１】
かごの積載量に応じて表示内容が変化する第１の表示部と、
唯一の第１のシンボルおよび唯一の第２のシンボルを含む第２の表示部とを備え、
前記第１の表示部は、前記かごの乗車率に関するレベルを表示する複数のレベル表示部を含み、
前記第１のシンボルおよび前記第２のシンボルは、アイコンにより構成され、
前記第１のシンボルは、前記第２のシンボルと対照することにより前記かごの積載量が少ないことを連想させることができるように構成され、
前記第２のシンボルは、前記第１のシンボルと対照することにより前記かごの積載量が多いことを連想させることができるように構成される
エレベータ装置の表示装置。
【請求項２】
前記第１のシンボルは、前記かごの積載量が少ないことを連想させることができるように相対的に少ない人数を表すシンボル、および、前記かごを表すシンボルを含み、
前記第２のシンボルは、前記かごの積載量が多いことを連想させることができるように相対的に多い人数を表すシンボル、および、前記かごを表すシンボルを含む
請求項１に記載のエレベータ装置の表示装置。
【請求項３】
前記第１のシンボルは、前記かごの積載量が少ないことを連想させることができるように人が前記かごに乗り込もうとしている様子を示すシンボルを含み、
前記第２のシンボルは、前記かごの積載量が多いことを連想させることができるように前記かごに乗車している人が存在している様子を示すシンボルを含む
請求項１に記載のエレベータ装置の表示装置。
【請求項４】
前記第１のシンボルは、前記かごの積載量が少ないことにより前記かごに乗り込むことが容易であることを連想させることができるシンボルを含み、
前記第２のシンボルは、前記かごの積載量が多いことにより前記かごに乗り込むことが困難であることを連想させることができるシンボルを含む
請求項１に記載のエレベータ装置の表示装置。
【請求項５】
前記第１のシンボルは、前記かごの積載量が最小レベルであることを連想させるシンボルを含み、
前記第２のシンボルは、前記かごの積載量が最大レベルであることを連想させるシンボルを含む
請求項１〜４のいずれか一項に記載のエレベータ装置の表示装置。
【請求項６】
前記第１の表示部および前記第２の表示部は、前記第１のシンボル、前記第１の表示部、および、前記第２のシンボルの順に整列して配置されている
請求項５に記載のエレベータ装置の表示装置。
【請求項７】
前記第２の表示部は、前記かごの積載量が最大レベルであることが検出されたときにオンとなる最大レベル表示部、および、前記かごの積載量が最小レベルであることが検出されたときにオンとなる最小レベル表示部をさらに備える
請求項１〜４のいずれか一項に記載のエレベータ装置の表示装置。
【請求項８】
前記第１の表示部および前記第２の表示部は、前記第１のシンボル、前記最小レベル表示部、前記第１の表示部、前記最大レベル表示部、および、前記第２のシンボルの順に整列して配置されている
請求項７に記載のエレベータ装置の表示装置。
【発明の詳細な説明】
【技術分野】
【０００１】
本発明は、エレベータ装置の表示装置に関する。
【背景技術】
【０００２】
従来のエレベータ装置として、搭乗予定者が待機する階において、かごの積載状態を搭乗予定者に案内する表示装置を備えるものが知られている。例えば特許文献１に記載の表示装置は、乗り場のドア周りに設けられる表示部、および、表示部の点灯状態を制御する制御部を備えている。表示部は、かごの定格積載量に対する現在の積載量の割合である乗車率を１０段階で表示できるように、左端から右端に向かうにつれて段階的に高さが高くなる１０個の棒状のランプを備えている。制御部は、かごに取り付けられている荷重センサにより検出されたかごの積載量に基づいて乗車率を算出し、乗車率が１０％未満の場合には全てのランプを消灯し、乗車率が１０％以上かつ２０％未満の範囲に含まれる場合には最も高さが低いランプを点灯し、以降は乗車率が１０％増加する毎に点灯するランプを１個ずつ増加させる。
【先行技術文献】
【特許文献】
【０００３】
【特許文献１】特開２０１３−１５１３５７号公報
【発明の概要】
【発明が解決しようとする課題】
【０００４】
例えば、上記表示装置において、ランプの点灯状態が乗車率を示すことを搭乗予定者が認識できるようにランプの周囲に言語による説明を記載することが考えられる。この方法によれば、様々な国籍の人がエレベータ装置を利用することが想定される場合、ランプに関する説明を多数の言語により記載する必要がある。このため、多数の文字がランプの周囲に記載され、搭乗予定者によっては記載された文字を読み取ることを煩わしく感じるおそれがある。なお、このような課題は、表示部が乗り場のドア周りに設けられる場合に限らず、表示部がかご内に設けられる場合にも同様に生じる。
【０００５】
本発明の目的は、かごの積載量を正確かつ容易に認識させることができるエレベータ装置の表示装置を提供することである。
【課題を解決するための手段】
【０００６】
本発明に従うエレベータ装置の表示装置の一形態は、かごの積載量に応じて表示内容が変化する第１の表示部と、前記かごの積載量が少ないことを連想させることができる第１のシンボル、および、前記かごの積載量が多いことを連想させることができる第２のシンボルを含む第２の表示部とを備える。
【０００７】
第１のシンボルおよび第２のシンボルは、かごの積載量に関して異なる量を連想させる対照的なシンボルであるため、これら２つのシンボルが、逆に第１のシンボルと第２のシンボルとの共通点、すなわち、かごの積載量に関する点を浮かび上がらせることとなる。このため、エレベータ装置の利用者は、第１の表示部および第２の表示部が何を表示する部分であるかを、文字ではなくシンボルにより直感的に認識できる。このため、第１の表示部および第２の表示部が積載量以外の事項を示していると誤認されるおそれが低い。このように、上記エレベータ装置の表示装置は、かごの積載量を正確かつ容易に認識させることができる。
【発明の効果】
【０００８】
上記エレベータ装置の表示装置は、かごの積載量を正確かつ容易に認識させることができる。
【図面の簡単な説明】
【０００９】
【図１】乗り場における実施形態のエレベータ装置の正面図。
【図２】図１のエレベータ装置の表示装置の電気的構成に関するブロック図。
【図３】図１の操作盤および表示部の正面図。
【図４】第１のシンボルが点灯した乗車率表示部の正面図。
【図５】第１のレベル表示部が点灯した乗車率表示部の正面図。
【図６】第２のシンボルが点灯した乗車率表示部の正面図。
【図７】第２の実施形態の乗車率表示部の正面図。
【図８】第３の実施形態の乗車率表示部の正面図。
【図９】第４の実施形態の乗車率表示部の正面図。
【図１０】第５の実施形態の乗車率表示部の正面図。
【図１１】第６の実施形態の乗車率表示部の正面図。
【図１２】第７の実施形態の乗車率表示部の正面図。
【図１３】第８の実施形態の乗車率表示部の正面図。
【図１４】第９の実施形態の乗車率表示部の正面図。
【発明を実施するための形態】
【００１０】
（第１の実施形態）
図１に示されるように、エレベータ装置１００が設置された建築物２００の各フロアには、エレベータ装置１００のかご１１０への乗車を予定している人（以下では「搭乗予定者」）が待機するための乗り場２１０が設けられている。かご１１０が移動する昇降路（図示略）と乗り場２１０とを区画する建築物２００の壁２４０には、昇降路と乗り場２１０とを繋げる開口２２０が設けられている。開口２２０には、開口２２０を開閉する乗降戸２３０が設けられている。壁２４０における開口２２０の側方の部分には、搭乗予定者により操作される操作盤３００が設けられている。以上のように、エレベータ装置１００は、かご１１０、乗降戸２３０、および、操作盤３００を備えている。
【００１１】
エレベータ装置１００は、エレベータ装置１００に関する様々な情報（以下では「エレベータ情報」）を表示するエレベータ装置の表示装置１（以下では「表示装置１」）、エレベータ装置１００のかご１１０の積載量を検出する重量検出部４００、および、エレベータ装置１００の綱車（図示略）の回転量を検出する回転検出部５００をさらに備えている。
【００１２】
表示装置１は、エレベータ情報を表示する表示部２、および、エレベータ情報に応じて表示部２の点灯状態を制御する制御装置３を備えている。図２に示されるように、重量検出部４００および回転検出部５００は、制御装置３に検出信号を送信できるように制御装置３と電気的に接続されている。
【００１３】
制御装置３は、エレベータ情報の一例として、かご１１０の定格積載量に対する現在の積載量の割合である乗車率、および、昇降路におけるかご１１０の位置であるかご位置を算出する。乗車率は重量検出部４００の検出信号に基づいて算出される。かご位置は回転検出部５００の検出信号に基づいて算出される。
【００１４】
図３は、表示部２および操作盤３００の正面図である。表示部２および操作盤３００は上下に並べて壁２４０に設けられている。表示部２は、搭乗予定者が視認しやすいように操作盤３００よりも上方に設けられている。
【００１５】
操作盤３００は、壁２４０に取り付けられているブラケット（図示略）に固定されたフェースプレート３３０、ならびに、フェースプレート３３０に形成された孔から突き出た上方呼び登録ボタン３１０および下方呼び登録ボタン３２０を備えている。上方呼び登録ボタン３１０は、上のフロアに移動する場合にかご１１０を呼ぶボタンである。下方呼び登録ボタン３２０は、下のフロアに移動する場合にかご１１０を呼ぶボタンである。
【００１６】
表示部２は、壁２４０に取り付けられているブラケット（図示略）に固定された樹脂板１０、かご位置に関する情報、および、かご１１０の進行方向に関する情報を表示するかご情報表示部２０、ならびに、かご１１０の乗車率に関する情報を表示する乗車率表示部３０を備えている。
【００１７】
樹脂板１０を構成する材料は半透明の樹脂材料である。樹脂板１０の表面は着色されている。表面の色の一例はブルースモークである。樹脂板１０には、第１の窓１１および第２の窓１２が形成されている。第１の窓１１の形状は縦長の長方形である。第２の窓１２は第１の窓１１の下方に形成されている。第２の窓１２の形状は横長の長方形である。
【００１８】
かご情報表示部２０は、第１の窓１１に配置されたＬＥＤドットマトリクス２１を含む。ＬＥＤドットマトリクス２１は、かご１１０の進行方向を示す矢印、および、かご１１０が着床している階、または、走行しているかご１１０の最も近い階を示す数字を表示する。
【００１９】
乗車率表示部３０は、第２の窓１２に配置された光拡散シート４０、ならびに、光拡散シート４０の背面側に配置された複数のＬＥＤランプ５０（図２参照）を備えている。図２に示されるように複数のＬＥＤランプ５０は、第１のシンボルランプ５１、第２のシンボルランプ５２、第１のレベルランプ６１、第２のレベルランプ６２、第３のレベルランプ６３、および、第４のレベルランプ６４を含む。ＬＥＤドットマトリクス２１および複数のＬＥＤランプ５０は、制御装置３と電気的に接続されている。
【００２０】
第１のシンボルランプ５１は第１の色を有する光を出力する。第１のレベルランプ６１〜第４のレベルランプ６４は第２の色を有する光を出力する。第２のシンボルランプ５２は第３の色を有する光を出力する。一例では、第１の色は緑色であり、第２の色は黄色であり、第３の色は赤色である。
【００２１】
光拡散シート４０は乳白色の樹脂シートである。図３に示されるように、光拡散シート４０の表面には、複数のＬＥＤランプ５０（図２参照）の少なくとも１つから出力された光を吸収する遮光層４０Ａが設けられている。遮光層４０Ａは、黒色塗料の層であり、光拡散シート４０のうちの各表示部７０、８０を除いた部分の全部に設けられている。各表示部７０、８０は、複数のＬＥＤランプ５０のうちの対応するＬＥＤランプの光を乗り場２１０側に透過させる。
【００２２】
第１の表示部７０は、かご１１０の乗車率に関するレベルを表示する第１のレベル表示部７１〜第４のレベル表示部７４を含む。第２の表示部８０は、かご１１０の積載量が少ないことを搭乗予定者に連想させることができる第１のシンボル８１、および、かご１１０の積載量が多いことを搭乗予定者に連想させることができる第２のシンボル８２を含む。各レベル表示部７１〜７４および各シンボル８１、８２は、左右方向において第１のシンボル８１、第１のレベル表示部７１、第２のレベル表示部７２、第３のレベル表示部７３、第４のレベル表示部７４、および、第２のシンボル８２の順に整列している。
【００２３】
各レベル表示部７１〜７４は縦長の長方形である。各レベル表示部７１〜７４および各シンボル８１、８２は、対応する各レベルランプ６１〜６４および各シンボルランプ５１、５２の光を乗り場２１０側に透過させることができるように各レベルランプ６１〜６４および各シンボルランプ５１、５２に対して乗り場２１０側に設けられている。
【００２４】
各レベル表示部７１〜７４、第１のシンボル８１、および、第２のシンボル８２の点灯状態は、対応する各レベルランプ６１〜６４、第１のシンボルランプ５１、および、第２のシンボルランプ５２の点灯状態に応じて点灯した状態または消灯した状態を取る。
【００２５】
各レベル表示部７１〜７４、第１のシンボル８１、および、第２のシンボル８２が点灯した状態とは、各レベル表示部７１〜７４、第１のシンボル８１、および、第２のシンボル８２のそれぞれに対応する各レベルランプ６１〜６４、第１のシンボルランプ５１、および、第２のシンボルランプ５２が点灯し、各レベル表示部７１〜７４、第１のシンボル８１、および、第２のシンボル８２がその光を透過している状態である。
【００２６】
各レベル表示部７１〜７４、第１のシンボル８１、および、第２のシンボル８２が消灯している状態とは、各レベル表示部７１〜７４、第１のシンボル８１、および、第２のシンボル８２のそれぞれに対応する各レベルランプ６１〜６４、第１のシンボルランプ５１、および、第２のシンボルランプ５２が消灯し、各レベル表示部７１〜７４、第１のシンボル８１、および、第２のシンボル８２が各レベルランプ６１〜６４、第１のシンボルランプ５１、および、第２のシンボルランプ５２の光を透過していない状態である。
【００２７】
第１のシンボル８１は、人が搭乗していないかごを連想させる第１の部分８１Ａ、および、第１の部分８１Ａに示されるかごが上下方向に移動することを連想させる第２の部分８１Ｂを含む。第２のシンボル８２は、多数の人がかごに搭乗していることを連想させる第１の部分８２Ａ、および、第１の部分８２Ａに示されるかごが上下方向に移動することを連想させる第２の部分８２Ｂを含む。なお、本実施形態では、乗車率表示部３０を光拡散シート４０、および、複数のＬＥＤランプ５０として構成したが、光拡散シート４０および複数のＬＥＤランプ５０に代えて、乗車率表示部３０を液晶ディスプレイにより構成することもできる。
【００２８】
図４〜図６を参照して、表示装置１の動作について説明する。なお、図４〜図６において、第１の表示部７０および第２の表示部８０のうちの白抜きで表現された表示部は点灯した状態を示し、ドットが付された表示部は消灯した状態を示している。
【００２９】
制御装置３は、エレベータ装置１００の電源が投入されているとき、重量検出部４００の検出信号に基づいてかご１１０の乗車率を算出し、算出した乗車率に基づいて複数のＬＥＤランプ５０の点灯状態を制御する。
【００３０】
かご１１０の乗車率が０％以上かつ１０％未満の範囲に含まれる場合、制御装置３により複数のＬＥＤランプ５０のうちの第１のシンボルランプ５１だけが点灯され、図４に示されるように第１のシンボル８１だけが点灯する。
【００３１】
かご１１０の乗車率が１０％以上かつ３０％未満の範囲に含まれる場合、制御装置３により複数のＬＥＤランプ５０のうちの第１のレベルランプ６１が点灯され、図５に示されるように第１のレベル表示部７１だけが点灯する。
【００３２】
かご１１０の乗車率が３０％以上かつ５０％未満の範囲に含まれる場合、制御装置３により複数のＬＥＤランプ５０のうちの各レベルランプ６１、６２が点灯され、各レベル表示部７１、７２が点灯する。
【００３３】
かご１１０の乗車率が５０％以上かつ７０％未満の範囲に含まれる場合、制御装置３により複数のＬＥＤランプ５０のうちの各レベルランプ６１〜６３が点灯され、各レベル表示部７１〜７３が点灯する。
【００３４】
かご１１０の乗車率が７０％以上かつ９０％未満の範囲に含まれる場合、制御装置３により複数のＬＥＤランプ５０のうちの各レベルランプ６１〜６４が点灯され、各レベル表示部７１〜７４が点灯する。
【００３５】
かご１１０の乗車率が９０％以上の場合、制御装置３により複数のＬＥＤランプ５０のうちの第２のシンボルランプ５２だけが点灯され、図６に示されるように第２のシンボル８２だけが点灯する。
【００３６】
表示装置１により得られる作用および効果について説明する。
（１）かご１１０の積載量に関して異なる量を連想させる２つのシンボル８１、８２が設けられているため、このような対照的な２つのシンボル８１、８２が、逆に第１のシンボル８１と第２のシンボル８２との共通点、すなわち、かご１１０の積載量に関する点を浮かび上がらせることとなる。このため、エレベータ装置１００の利用者は、第１の表示部７０および第２の表示部８０が何を表示する部分であるかを直感的に認識できる。このように、表示装置１は、エレベータ装置１００の利用者にかご１１０の積載量を正確かつ容易に認識させることができる。
【００３７】
（２）左右方向に整列して配置されている第１の表示部７０および第２の表示部８０のうちの第１のシンボル８１が一方の端に配置され、第２のシンボル８２が他方の端に配置されている。このため、第１のシンボル８１が点灯している状態のときに乗車率が最小レベルであることをエレベータ装置１００の利用者に連想させやすい。また、第２のシンボル８２が点灯している状態のときに乗車率が最大レベルであることをエレベータ装置１００の利用者に連想させやすい。
【００３８】
（３）第１の表示部７０および第２の表示部８０のうちの両端に配置されている第２の表示部８０のみがシンボルであるため、第１のシンボル８１が点灯している状態のときに乗車率が最小レベルであることをエレベータ装置１００の利用者に連想させやすい。また、第２のシンボル８２が点灯している状態のときに乗車率が最大レベルであることをエレベータ装置１００の利用者に連想させやすい。なお、上記（１）〜（３）に記載の作用および効果は、表示装置１がかご１１０内に設けられる場合であっても同様に生じる。
【００３９】
（第２の実施形態）
第２の実施形態の表示装置１は、第１の実施形態の第１の表示部７０（図３参照）に代えて、図７に示される第１の表示部２７０を備えている。なお、以下の説明では第１の実施形態および第２の実施形態に共通する事項に関する説明を省略している。また、図７において、第１の表示部２７０および第２の表示部８０のうちの白抜きで表現された表示部は点灯した状態を示し、ドットが付された表示部は消灯した状態を示している。
【００４０】
第１の表示部２７０は、かご１１０の乗車率に関するレベルを表示する第１のレベル表示部２７１〜第４のレベル表示部２７４を含む。
各レベル表示部２７１〜２７４および各シンボル８１、８２は、左右方向において第１のシンボル８１、第１のレベル表示部２７１、第２のレベル表示部２７２、第３のレベル表示部２７３、第４のレベル表示部２７４、および、第２のシンボル８２の順に整列している。
【００４１】
第１のレベル表示部２７１は、人が搭乗していないかごを連想させる第１の部分２７１Ａ、および、第１の部分２７１Ａに示されるかごが上下方向に移動することを連想させる第２の部分２７１Ｂを含む。
【００４２】
各レベル表示部２７２〜２７４の形状は円である。第２のレベル表示部２７２〜第４のレベル表示部２７４の順に円の直径が大きい。
本実施形態の表示装置１の動作について説明する。
【００４３】
かご１１０の乗車率が０％以上かつ１０％未満の範囲に含まれる場合、制御装置３により複数のＬＥＤランプ５０のうちの第１のシンボルランプ５１だけが点灯され、第１のシンボル８１だけが点灯する。
【００４４】
かご１１０の乗車率が１０％以上かつ３０％未満の範囲に含まれる場合、制御装置３により複数のＬＥＤランプ５０のうちの第１のレベルランプ６１だけが点灯され、第１のレベル表示部２７１だけが点灯する。
【００４５】
かご１１０の乗車率が３０％以上かつ５０％未満の範囲に含まれる場合、制御装置３により複数のＬＥＤランプ５０のうちの各レベルランプ６１、６２が点灯され、各レベル表示部２７１、２７２が点灯する。
【００４６】
かご１１０の乗車率が５０％以上かつ７０％未満の範囲に含まれる場合、制御装置３により複数のＬＥＤランプ５０のうちの各レベルランプ６１〜６３が点灯され、各レベル表示部２７１〜２７３が点灯する。
【００４７】
かご１１０の乗車率が７０％以上かつ９０％未満の範囲に含まれる場合、制御装置３により複数のＬＥＤランプ５０のうちの各レベルランプ６１〜６４が点灯され、図７に示されるように、各レベル表示部２７１〜２７４が点灯する。
【００４８】
かご１１０の乗車率が９０％以上の場合、制御装置３により複数のＬＥＤランプ５０のうちの第２のシンボルランプ５２だけが点灯され、第２のシンボル８２だけが点灯する。本実施形態の表示装置１によれば、上記（１）および（２）に準じた作用および効果が得られる。
【００４９】
（第３の実施形態）
第３の実施形態の表示装置１は、第１の実施形態の第１の表示部７０および第２の表示部８０（図３参照）に代えて、図８に示される第１の表示部３７０および第２の表示部３８０を備えている。なお、以下の説明では、第１の実施形態および第３の実施形態に共通する事項に関する説明を省略している。また、図８において、第１の表示部３７０および第２の表示部３８０のうちの白抜きで表現された表示部は点灯した状態を示し、ドットが付された表示部は消灯した状態を示している。
【００５０】
第１の表示部３７０は、かご１１０の乗車率に関するレベルを表示する第１のレベル表示部３７１〜第４のレベル表示部３７４を含む。第２の表示部３８０は、かご１１０の積載量が少ないことを搭乗予定者に連想させることができる第１のシンボル３８１、および、かご１１０の積載量が多いことを搭乗予定者に連想させることができる第２のシンボル３８２を含む。各レベル表示部３７１〜３７４および各シンボル３８１、３８２は、左右方向において第１のシンボル３８１、第１のレベル表示部３７１、第２のレベル表示部３７２、第３のレベル表示部３７３、第４のレベル表示部３７４、および、第２のシンボル３８２の順に整列している。
【００５１】
各レベル表示部３７１〜３７４の形状は円である。第１のレベル表示部３７１〜第４のレベル表示部３７４の順に円の直径が大きい。
第１のシンボル３８１は、かごに搭乗しようとしている人を連想させる第１の部分３８１Ａ、および、無人のかごを連想させる第２の部分３８１Ｂを含む。第２のシンボル３８２は、かごに搭乗している人を連想させる第１の部分３８２Ａ、および、かごを連想させる第２の部分３８２Ｂを含む。なお、本実施形態の表示装置１の動作は、第１の実施形態と同様であるため、その説明を省略する。本実施形態の表示装置１によれば、上記（１）〜（３）に準じた作用および効果が得られる。
【００５２】
（第４の実施形態）
第４の実施形態の表示装置１は、第３の実施形態の第２の表示部３８０（図８参照）に代えて、図９に示される第２の表示部４８０を備えている。なお、以下の説明では、第３の実施形態および第４の実施形態に共通する事項に関する説明を省略している。また、図９において、第１の表示部３７０および第２の表示部４８０のうちの白抜きで表現された表示部は点灯した状態を示し、ドットが付された表示部は消灯した状態を示している。
【００５３】
第２の表示部４８０は、かご１１０の積載量が少ないことによりかご１１０に乗り込むことが容易であることを連想させることができる第１のシンボル４８１、および、かご１１０の積載量が多いことによりかご１１０に乗り込むことが困難であることを連想させることができる第２のシンボル４８２を含む。
【００５４】
第１のシンボル４８１は、開口しているかごを連想させる第１の部分４８１Ａ、および、第１の部分４８１Ａの開口部分の側方に設けられ、右向きの矢印を示す第２の部分４８１Ｂを含む。
【００５５】
第２のシンボル４８２は、閉鎖しているかごを連想させる第１の部分４８２Ａを含む。なお、本実施形態の表示装置１の動作は、第３の実施形態と同様であるため、その説明を省略する。本実施形態の表示装置１によれば、上記（１）〜（３）に準じた作用および効果が得られる。
【００５６】
（第５の実施形態）
第５の実施形態の表示装置１は、第１の実施形態の第１の表示部７０および第２の表示部８０（図３参照）に代えて、図１０に示される第１の表示部５７０および第２の表示部５８０を備えている。なお、以下の説明では、第１の実施形態および第５の実施形態に共通する事項に関する説明を省略している。また、図１０において、第１の表示部５７０および第２の表示部５８０のうちの白抜きで表現された表示部は、点灯した状態を示している。
【００５７】
第１の表示部５７０は、かご１１０の乗車率に関するレベルを表示する各レベル表示部５７１〜５７６を含む。第２の表示部５８０は、かご１１０の積載量が少ないことを搭乗予定者に連想させることができる第１のシンボル５８１、および、かご１１０の積載量が多いことを搭乗予定者に連想させることができる第２のシンボル５８２を含む。第１の表示部５７０の背面、および、第２の表示部５８０の背面には、各レベル表示部５７１〜５７６、および、各シンボル５８１、５８２を点灯させる複数のＬＥＤランプ（図示略）が設けられている。
【００５８】
各レベル表示部５７１〜５７６は、円が扇状に６等分された形状であり、時計回りに第１のレベル表示部５７１、第２のレベル表示部５７２、第３のレベル表示部５７３、第４のレベル表示部５７４、第５のレベル表示部５７５、および、第６のレベル表示部５７６の順に整列している。第１のシンボル５８１は、第１のレベル表示部５７１の上方に設けられている。第２のシンボル５８２は、第６のレベル表示部５７６の上方に設けられている。
【００５９】
第１のシンボル５８１は、かごを連想させる第１の部分５８１Ａ、および、かごにわずか１人しか搭乗していないことを連想させる第２の部分５８１Ｂを含む。第２のシンボル５８２は、かごを連想させる第１の部分５８２Ａ、および、かごに３人も搭乗してかごが一杯であることを連想させる第２の部分５８２Ｂを含む。
【００６０】
本実施形態の表示装置１の動作について説明する。
制御装置３は、エレベータ装置１００の電源が投入されているとき、第１のシンボル５８１および第２のシンボル５８２に対応するＬＥＤランプを常に点灯させている。制御装置３は、重量検出部４００の検出信号に基づいてかご１１０の乗車率を算出し、算出した乗車率に基づいて各レベル表示部５７１〜５７６に対応するＬＥＤランプの点灯状態を制御する。
【００６１】
かご１１０の乗車率が０％以上かつ１０％未満の範囲に含まれる場合、制御装置３により複数のＬＥＤランプのうちの第１のレベル表示部５７１に対応するＬＥＤランプが点灯される。
【００６２】
かご１１０の乗車率が１０％以上かつ３０％未満の範囲に含まれる場合、制御装置３により複数のＬＥＤランプのうちの各レベル表示部５７１、５７２に対応するＬＥＤランプが点灯される。
【００６３】
かご１１０の乗車率が３０％以上かつ５０％未満の範囲に含まれる場合、制御装置３により複数のＬＥＤランプのうちの各レベル表示部５７１〜５７３に対応するＬＥＤランプが点灯される。
【００６４】
かご１１０の乗車率が５０％以上かつ７０％未満の範囲に含まれる場合、制御装置３により複数のＬＥＤランプのうちの各レベル表示部５７１〜５７４に対応するＬＥＤランプが点灯される。
【００６５】
かご１１０の乗車率が７０％以上かつ９０％未満の範囲に含まれる場合、制御装置３により複数のＬＥＤランプのうちの各レベル表示部５７１〜５７５に対応するＬＥＤランプが点灯される。
【００６６】
かご１１０の乗車率が９０％以上の場合、図１０に示されるように、制御装置３により複数のＬＥＤランプのうちの全部が点灯される。本実施形態の表示装置１によれば、上記（１）に準じた作用および効果が得られる。
【００６７】
（第６の実施形態）
第６の実施形態の表示装置１は、第５の実施形態の第１の表示部５７０（図１０参照）に代えて、図１１に示される第１の表示部６７０を備えている。なお、以下の説明では、第５の実施形態および第６の実施形態に共通する事項に関する説明を省略している。また、図１１において、第１の表示部６７０および第２の表示部５８０のうちの白抜きで表現された表示部は点灯した状態を示している。
【００６８】
第１の表示部６７０は、かご１１０の乗車率に関するレベルを表示する各レベル表示部６７１〜６７６を含む。
各レベル表示部６７１〜６７３は、長方形が３等分された形状であり、左右方向において、第１のレベル表示部６７１、第２のレベル表示部６７２、および、第３のレベル表示部６７３の順に整列している。各レベル表示部６７４〜６７６は、長方形が３等分された形状であり、左右方向において、第４のレベル表示部６７４、第５のレベル表示部６７５、および、第６のレベル表示部６７６の順に整列している。各レベル表示部６７４〜６７６は、各レベル表示部６７１〜６７３の下方に設けられている。
【００６９】
第１のシンボル５８１は、第１のレベル表示部６７１の左上に設けられている。第２のシンボル５８２は、第６のレベル表示部６７６の右下に設けられている。なお、本実施形態の表示装置１の動作は、第５の実施形態と同様であるため、その説明を省略する。本実施形態の表示装置１によれば、上記（１）に準じた作用および効果が得られる。
【００７０】
（第７の実施形態）
第７の実施形態の表示装置１は、第５の実施形態の第１の表示部５７０および第２の表示部５８０（図１０参照）に代えて、図１２に示される第１の表示部７７０および第２の表示部７８０を備えている。なお、以下の説明では、第５の実施形態および第７の実施形態に共通する事項に関する説明を省略している。また、図１２において、第１の表示部７７０および第２の表示部７８０のうちの白抜きで表現された表示部は点灯した状態を示し、ドットが付された表示部は消灯した状態を示している。
【００７１】
第１の表示部７７０は、かご１１０の乗車率に関するレベルを表示する各レベル表示部７７１〜７７４を含む。
第２の表示部７８０は、最小レベル表示部７８０Ａ、最大レベル表示部７８０Ｂ、第１のシンボル７８１、および、第２のシンボル７８２を含む。
【００７２】
最小レベル表示部７８０Ａは、かご１１０の乗車率が最小レベルであることが検出されたときにオンとなる。最大レベル表示部７８０Ｂは、かご１１０の乗車率が最大レベルであることが検出されたときにオンとなる。
【００７３】
第１のシンボル７８１は、かごを連想させる第１の部分７８１Ａ、および、かごにわずか１人しか搭乗していないことを連想させる第２の部分７８１Ｂを含む。第２のシンボル７８２は、かごを連想させる第１の部分７８２Ａ、および、かごに３人も搭乗してかごが一杯であることを連想させる第２の部分７８２Ｂを含む。
【００７４】
最小レベル表示部７８０Ａ、最大レベル表示部７８０Ｂ、各レベル表示部７７１〜７７４、および、各シンボル７８１、７８２は、左右方向において第１のシンボル７８１、最小レベル表示部７８０Ａ、第１のレベル表示部７７１、第２のレベル表示部７７２、第３のレベル表示部７７３、第４のレベル表示部７７４、最大レベル表示部７８０Ｂ、および、第２のシンボル７８２の順に整列している。最小レベル表示部７８０Ａ、最大レベル表示部７８０Ｂ、および、各レベル表示部７７１〜７７４は縦長の長方形である。
【００７５】
第１の表示部７７０、および、第２の表示部７８０の背面には、最小レベル表示部７８０Ａ、最大レベル表示部７８０Ｂ、各レベル表示部７７１〜７７４、および、各シンボル７８１、７８２を点灯させる複数のＬＥＤランプ（図示略）が設けられている。最小レベル表示部７８０Ａに対応するＬＥＤランプは、第１の色を有する光を出力する。各レベル表示部７７１〜７７４に対応するＬＥＤランプは、第２の色を有する光を出力する。最大レベル表示部７８０Ｂに対応するＬＥＤランプは、第３の色を有する光を出力する。各シンボル７８１、７８２に対応するＬＥＤランプは、第２の色を有する光を出力する。一例では、第１の色は緑色であり、第２の色は黄色であり、第３の色は赤色である。
【００７６】
本実施形態の表示装置１の動作について説明する。
制御装置３は、エレベータ装置１００の電源が投入されているとき、第１のシンボル７８１および第２のシンボル７８２に対応するＬＥＤランプを常に点灯させている。制御装置３は、重量検出部４００の検出信号に基づいてかご１１０の乗車率を算出し、算出した乗車率に基づいて最小レベル表示部７８０Ａ、最大レベル表示部７８０Ｂ、および、各レベル表示部７７１〜７７４に対応するＬＥＤランプの点灯状態を制御する。
【００７７】
かご１１０の乗車率が０％以上かつ１０％未満の範囲に含まれる場合、制御装置３により複数のＬＥＤランプのうちの最小レベル表示部７８０Ａに対応するＬＥＤランプが点灯される。
【００７８】
かご１１０の乗車率が１０％以上かつ３０％未満の範囲に含まれる場合、制御装置３により複数のＬＥＤランプのうちの第１のレベル表示部７７１に対応するＬＥＤランプが点灯される。
【００７９】
かご１１０の乗車率が３０％以上かつ５０％未満の範囲に含まれる場合、制御装置３により複数のＬＥＤランプのうちの各レベル表示部７７１、７７２に対応するＬＥＤランプが点灯される。
【００８０】
かご１１０の乗車率が５０％以上かつ７０％未満の範囲に含まれる場合、制御装置３により複数のＬＥＤランプのうちの各レベル表示部７７１〜７７３に対応するＬＥＤランプが点灯される。
【００８１】
かご１１０の乗車率が７０％以上かつ９０％未満の範囲に含まれる場合、図１２に示されるように、制御装置３により複数のＬＥＤランプのうちの各レベル表示部７７１〜７７４に対応するＬＥＤランプが点灯される。
【００８２】
かご１１０の乗車率が９０％以上の場合、制御装置３により複数のＬＥＤランプのうちの最大レベル表示部７８０Ｂに対応するＬＥＤランプが点灯される。
本実施形態の表示装置１によれば、上記（１）に準じた作用および効果に加えて、以下の作用および効果が得られる。
【００８３】
（４）点灯した状態および消灯した状態をとる最小レベル表示部７８０Ａ、最大レベル表示部７８０Ｂ、および、各レベル表示部７７１〜７７４のうちの、一方の端に配置されている最小レベル表示部７８０Ａの隣に第１のシンボル７８１が配置されている。このため、最小レベル表示部７８０Ａが点灯している状態のときに乗車率が最小レベルであることをエレベータ装置１００の利用者に連想させやすい。また、最大レベル表示部７８０Ｂの隣に第２のシンボル７８２が配置されているため、最大レベル表示部７８０Ｂが点灯している状態のときに乗車率が最大レベルであることをエレベータ装置１００の利用者に連想させやすい。
【００８４】
（５）最小レベル表示部７８０Ａは、各レベル表示部７７１〜７７２と異なる色で点灯するため、最小レベル表示部７８０Ａが点灯している状態のときに乗車率が最小レベルであることをエレベータ装置１００の利用者に連想させやすい。
【００８５】
（６）最大レベル表示部７８０Ｂは、各レベル表示部７７１〜７７２と異なる色で点灯するため、最大レベル表示部７８０Ｂが点灯している状態のときに乗車率が最大レベルであることをエレベータ装置１００の利用者に連想させやすい。なお、上記（４）〜（６）に記載の作用および効果は、表示装置１がかご１１０内に設けられる場合であっても同様に生じる。
【００８６】
（第８の実施形態）
第８の実施形態の表示装置１は、第７の実施形態の第１の表示部７７０および第２の表示部７８０（図１２参照）に代えて、図１３に示される第１の表示部８７０および第２の表示部８８０を備えている。なお、以下の説明では、第７の実施形態および第８の実施形態に共通する事項に関する説明を省略している。また、図１３において、第１の表示部８７０および第２の表示部８８０のうちの白抜きで表現された表示部は点灯した状態を示し、ドットが付された表示部は消灯した状態を示している。
【００８７】
第１の表示部８７０は、かご１１０の乗車率に関するレベルを表示する各レベル表示部８７１〜８７４を含む。
第２の表示部８８０は、かご１１０の乗車率が最小レベルであることが検出されたときにオンとなる最小レベル表示部８８０Ａ、および、かご１１０の乗車率が最大レベルであることが検出されたときにオンとなる最大レベル表示部８８０Ｂを含む。
【００８８】
最小レベル表示部８８０Ａ、最大レベル表示部８８０Ｂ、各レベル表示部８７１〜８７４、および、各シンボル７８１、７８２は、左右方向において第１のシンボル７８１、最小レベル表示部８８０Ａ、第１のレベル表示部８７１、第２のレベル表示部８７２、第３のレベル表示部８７３、第４のレベル表示部８７４、最大レベル表示部８８０Ｂ、および、第２のシンボル７８２の順に整列している。最小レベル表示部８８０Ａ、最大レベル表示部８８０Ｂ、および、各レベル表示部８７１〜８７４の形状は長方形である。最小レベル表示部８８０Ａ、第１のレベル表示部８７１〜第４のレベル表示部８７４、および、最大レベル表示部８８０Ｂの順に長方形の高さの寸法が大きい。
【００８９】
第１の表示部８７０、および、第２の表示部８８０の背面には、最小レベル表示部８８０Ａ、最大レベル表示部８８０Ｂ、および、各レベル表示部８７１〜８７４を点灯させる複数のＬＥＤランプ（図示略）が設けられている。最小レベル表示部８８０Ａに対応するＬＥＤランプは、第１の色を有する光を出力する。各レベル表示部８７１〜８７４に対応するＬＥＤランプは、第２の色を有する光を出力する。最大レベル表示部８８０Ｂに対応するＬＥＤランプは、第３の色を有する光を出力する。一例では、第１の色は緑色であり、第２の色は黄色であり、第３の色は赤色である。なお、本実施形態の表示装置１の動作は、第７の実施形態と同様であるため、その説明を省略する。本実施形態の表示装置１によれば、上記（１）、および、（４）〜（６）に準じた作用および効果が得られる。
【００９０】
（第９の実施形態）
第９の実施形態の表示装置１は、第７の実施形態の第１の表示部７７０（図１２参照）に代えて、図１４に示される第１の表示部９７０を備えている。なお、以下の説明では、第７の実施形態および第９の実施形態に共通する事項に関する説明を省略している。また、図１４において、第１の表示部９７０および第２の表示部７８０のうちの白抜きで表現された表示部は点灯した状態を示し、ドットが付された表示部は消灯した状態を示している。
【００９１】
第１の表示部９７０の各レベル表示部９７１〜９７４の形状は円である。第１のレベル表示部９７１〜第４のレベル表示部９７４の順に円の直径が大きい。第１の表示部９７０の背面には、各レベル表示部９７１〜９７４を点灯させる複数のＬＥＤランプ（図示略）が設けられている。各レベル表示部９７１〜９７４に対応するＬＥＤランプは、黄色の光を出力する。なお、本実施形態の表示装置１の動作は、第７の実施形態と同様であるため、その説明を省略する。本実施形態の表示装置１によれば、上記（１）、および、（４）〜（６）に準じた作用および効果が得られる。
【００９２】
なお、上記各実施形態に関する説明は、本発明に従うエレベータ装置の表示装置が取り得る形態の例示であり、その形態を制限することを意図していない。本発明に従うエレベータ装置の表示装置は各実施形態とは異なる種々の形態を取り得る。
【符号の説明】
【００９３】
７０、２７０、３７０、５７０、６７０、７７０、９７０：第１の表示部
７８０Ａ、８８０Ａ                                  ：最小レベル表示部
７８０Ｂ、８８０Ｂ                                  ：最大レベル表示部
８０、３８０、４８０、５８０、７８０、８８０        ：第２の表示部
８１、３８１、４８１、５８１、７８１                ：第１のシンボル
８２、３８２、４８２、５８２、７８２                ：第２のシンボル
【図１】
0006766412.tif 000002
【図２】
0006766412.tif 000003
【図３】
0006766412.tif 000004
【図４】
0006766412.tif 000005
【図５】
0006766412.tif 000006
【図６】
0006766412.tif 000007
【図７】
0006766412.tif 000008
【図８】
0006766412.tif 000009
【図９】
0006766412.tif 000010
【図１０】
0006766412.tif 000011
【図１１】
0006766412.tif 000012
【図１２】
0006766412.tif 000013
【図１３】
0006766412.tif 000014
【図１４】
0006766412.tif 000015